(57)【要約】【課題】  カメラを設置することによりエレベータ利用者に対する犯罪を抑制し、かつ、カメラを設置してもエレベータ利用者が不信感や不満を感じずに快適にエレベータを利用できるようにする。【解決手段】  エレベータステムにおいて、エレベータ乗りかご１と、エレベータ乗りかご１に設けられ、エレベータ乗りかご１内を撮影するカメラ７と、カメラ７により撮影される情報の取扱いに関するエレベータ管理者の制約内容を表示する表示部６ａ，６ｂとを備える。【選択図】    図１
2007197137.tif 000002
【特許請求の範囲】
【請求項１】
エレベータ乗りかごと、
前記エレベータ乗りかごに設けられ、前記エレベータ乗りかご内を撮影するカメラと、
前記カメラにより撮影される情報の取扱いに関するエレベータ管理者の制約内容を表示する表示部と、
を備えることを特徴とするエレベータシステム。
【請求項２】
前記表示部に表示される制約内容は、前記カメラにより撮影される情報の利用用途に関する内容であることを特徴とする請求項１記載のエレベータシステム。
【請求項３】
前記表示部に表示される制約内容は、個人情報の保護に関する内容であることを特徴とする請求項１記載のエレベータシステム。
【請求項４】
前記表示部は、前記エレベータ乗りかご内に設けられていることを特徴とする請求項１ないし３のいずれか一記載のエレベータシステム。
【請求項５】
前記表示部は、エレベータ乗り場に設けられていることを特徴とする請求項１ないし３のいずれか一記載のエレベータシステム。
【請求項６】
エレベータ利用者が利用する領域を撮影するカメラを備えるエレベータ施設内に設けられ、前記カメラにより撮影される情報の取扱いに関するエレベータ管理者の制約内容を表示してなることを特徴とする表示装置。
【請求項７】
前記制約内容は、前記カメラにより撮影される情報の利用用途に関する内容であることを特徴とする請求項６記載の表示装置。
【請求項８】
前記制約内容は、個人情報の保護に関する内容であることを特徴とする請求項６記載の表示装置。
【請求項９】
エレベータ利用者が利用する領域を撮影するカメラを備えるエレベータ施設内に設けられ、前記カメラにより撮影される情報の取扱いに関するエレベータ管理者の制約内容を表示してなることを特徴とする表示媒体。
【請求項１０】
前記表示内容は、前記カメラにより撮影される情報の利用用途に関する内容であることを特徴とする請求項９記載の表示媒体。
【請求項１１】
前記表示内容は、個人情報の保護に関する内容であることを特徴とする請求項９記載の表示媒体。
【請求項１２】
一つの面が粘着面であることを特徴とする請求項９ないし１１のいずれか一記載の表示媒体。
【発明の詳細な説明】
【技術分野】
【０００１】
本発明は、エレベータシステム、表示装置及び表示媒体に関し、特に、防犯対策のために使用されるカメラを備えるエレベータにおけるエレベータシステム、表示装置及び表示媒体に関する。
【背景技術】
【０００２】
例えば、下記特許文献１に記載されているように、エレベータ乗りかご内を撮影するカメラを設け、このカメラで撮影を行うことによってエレベータ乗りかご内での犯罪を未然に防止するようにしたエレベータシステムが知られている。
【０００３】
さらに、下記特許文献２に記載されているように、エレベータ乗り場を撮影するカメラを設け、このカメラで撮影を行うことによってエレベータ乗り場での犯罪を未然に防止するようにしたエレベータシステムが知られている。
【特許文献１】実開昭６０−９０２６８号公報
【特許文献２】特開昭５８−１４４０８０号公報
【発明の開示】
【発明が解決しようとする課題】
【０００４】
しかしながら、前述のエレベータシステムにおいては、以下の点について配慮がなされていない。
【０００５】
カメラによりエレベータ乗りかご内やエレベータ乗り場を撮影することは、犯罪を防止・抑制するために有効である。しかし、その一方で、エレベータ利用者のプライバシーに対して配慮することも大切である。
【０００６】
すなわち、エレベータ利用者のプライバシーに対する配慮が不十分であると、エレベータ利用者を犯罪から守るためにカメラを設置しているにも拘らず、エレベータ利用者は無断で自分が撮影されていると感じる場合がある。このため、カメラの設置や稼動が敬遠され、又は、不要なものであると見做され、場合によっては破壊されることがある。このような状況は犯罪の増加を助長することにつながり、極力回避しなければならない。
【０００７】
本発明はこのような課題を解決するためになされたもので、その目的は、エレベータ施設での犯罪を抑制することによりエレベータ利用者にエレベータを快適に利用してもらうことができるエレベータシステム、表示装置及び表示媒体を提供することである。
【課題を解決するための手段】
【０００８】
本発明の実施の形態に係る第１の特徴は、エレベータシステムにおいて、エレベータ乗りかごと、前記エレベータ乗りかごに設けられ、前記エレベータ乗りかご内を撮影するカメラと、前記カメラにより撮影される情報の取扱いに関するエレベータ管理者の制約内容を表示する表示部と、を備えることである。
【０００９】
本発明の実施の形態に係る第２の特徴は、表示装置において、エレベータ利用者が利用する領域を撮影するカメラを備えるエレベータ施設内に設けられ、前記カメラにより撮影される情報の取扱いに関するエレベータ管理者の制約内容を表示してなることである。
【００１０】
本発明の実施の形態に係る第３の特徴は、表示媒体において、エレベータ利用者が利用する領域を撮影するカメラを備えるエレベータ施設内に設けられ、前記カメラにより撮影される情報の取扱いに関するエレベータ管理者の制約内容を表示してなることである。
【発明の効果】
【００１１】
本発明によれば、エレベータ利用者にエレベータを快適に利用してもらうことができる。
【発明を実施するための最良の形態】
【００１２】
以下、本発明の実施の形態を図面を用いて説明する。
【００１３】
（第１の実施の形態）
本発明の第１の実施の形態に係るエレベータシステムは、図１に示すように、建物内に形成されたエレベータ昇降路（図示せず）内を昇降するエレベータ乗りかご１を備えている。図１（ａ）は、かごドア２が開いた状態をエレベータ乗り場３から見た透視図、図１（ｂ）はかごドア２が閉じた状態をエレベータ乗りかご１から見た透視図である。エレベータ乗りかご１とエレベータ乗り場３とは、エレベータ施設の一部である。
【００１４】
エレベータ乗りかご１内には、かごドア２の右側に位置する行き先操作盤４と、かごドア２の上部左側に位置する行き先表示盤５と、かごドア２の上部右側に位置する表示パネル(表示部、表示装置)６ａと、かごドア２に対向する奥側上部に位置するカメラ７とが設けられている。
【００１５】
行き先操作盤４には、目的階を選択するための押しボタン、かごドア２を開閉するための開閉ボタン、非常呼びボタンなどが設けられている。行き先表示盤５には、エレベータ乗りかご１の現在位置を点灯表示するランプが設けられている。カメラ７は、エレベータ乗りかご１内を撮影する。カメラ７により撮影された映像（情報）は、図示しない記録装置に記録される。表示パネル６ａは、液晶ディスプレイやＬＣＤディスプレイを用いることができ、宣伝広告や、各種の映像情報を表示することができる。
【００１６】
エレベータ乗り場３には、表示パネル(表示部、表示装置)６ｂが設けられている。この表示パネル６ｂはエレベータ乗りかご１内に設けられた表示パネル６ａと同じ構造のものを用いることができる。そして、各種の映像情報を表示することができる。
【００１７】
図２は、表示パネル６ａ，６ｂに表示する情報の制御を行う表示制御装置８を示すブロック図である。
【００１８】
表示制御装置８は、表示情報蓄積部８ａと、制約内容蓄積部８ｂと、表示タイミング演算部８ｃと、表示信号生成部８ｄと、プログラム更新部８ｅとを有している。表示情報蓄積部８ａには、インターネットやＬＡＮを介して一般情報更新部８ｆが接続されている。
【００１９】
表示情報蓄積部８ａとしては、ＨＤＤ等の不揮発性メモリが用いられ、表示パネル６ａ，６ｂに表示すべき情報が蓄積される。表示情報蓄積部８ａに蓄積される情報としては、「一般情報」、「制約内容情報」が含まれている。
【００２０】
「一般情報」は、天気予報、ニュース、宣伝広告等の情報である。「一般情報」は、一般情報更新部８ｆから送信されてくる情報であり、設定した時間毎に更新される。一般情報更新部８ｆは、例えば、専門の情報管理業者により運営・管理されている。
【００２１】
「制約内容情報」は、カメラ７により撮影された映像の取扱いに関するエレベータ管理会社やビル管理者の制約内容（注意義務内容）の情報である。この制約内容は、例えば、カメラ７により撮影された映像の利用用途に関する内容、個人情報（撮影された個人の映像）の保護に関する内容等である。制約内容情報は、主として文字情報から構成されている。制約内容に関する具体的な表示方法については、後述する。
【００２２】
制約内容蓄積部８ｂとしては、ＲＡＭなどの書き換え可能なメモリが用いられ、カメラ７により撮影された映像の取扱いに関するエレベータ管理者の制約内容（注意義務内容）の情報が蓄積されている。制約内容蓄積部８ｂに蓄積された制約内容は表示情報蓄積部８ａに送信され、表示情報蓄積部８ａに蓄積される。制約内容蓄積部８ｂに蓄積される制約内容は、エレベータ管理会社やビル管理者に限りその内容が変更可能である。
【００２３】
表示タイミング演算部８ｃは、所定のプログラムに基づいて演算を行い、表示情報蓄積部８ａに蓄積された「一般情報」と「制約内容情報」とに関する、表示時間、表示順序、オーバーラップ表示する場合の配置等について決定する。
【００２４】
表示信号生成部８ｄは、表示タイミング演算部８ｃにおいて決定された表示時間、表示順序等に従って表示パネル６ａ，６ｂに情報を表示するための信号を生成し、この信号に基づいて表示パネル６ａ，６ｂを駆動する。
【００２５】
プログラム更新部８ｅは、表示タイミング演算部８ｃ内で演算を行うプログラムを更新したり変更する機能を有する。プログラム更新部８ｅによりプログラムの更新・変更を行うことにより、「一般情報」と「制約内容情報」とに関する、表示時間、表示順序、オーバーラップ表示する場合の配置等を任意に変更することができる。
【００２６】
表示パネル６ａ，６ｂには、「一般情報」と「制約内容情報」とが定められた表示時間、表示順序等に従って表示される。エレベータ乗りかご１内のエレベータ利用者は、エレベータ乗りかご１内に設けられている表示パネル６ａを見ることにより、また、エレベータ乗り場３のエレベータ利用者はエレベータ乗り場３に設けられている表示パネル６ｂを見ることにより、表示パネル６ａ，６ｂに表示される、「一般情報」と「制約内容情報」とを見ることができる。
【００２７】
図３（ａ）、（ｂ）、（ｃ）は、表示パネル６ａ，６ｂに表示される、カメラ７により撮影される映像（情報）の取扱いに関するエレベータ管理者の制約内容を表示するものである。
【００２８】
図３（ａ）は、「このエレベータは防犯用のカメラにより２４時間管理されています。犯罪防止の観点から、お客様を撮影することになりますが予めご了解願います。」と表示されている。この表示により、カメラ７が防犯の目的のために設置され運用されることが明示される。
【００２９】
図３（ｂ）は、「この防犯用のカメラにより撮影された映像は弊社により管理されております。お客様の承諾なしに防犯以外の用途に用いることはございませんのでご安心下さい。」と表示されている。この表示により、カメラ７により撮影される映像がエレベータ管理者により管理され、その映像の利用用途が防犯の用途に限られることが明示される。
【００３０】
図３（ｃ）は、「このエレベータには犯罪防止の目的から防犯用のカメラが設置されています。個人情報保護法との関係でご不明な点がございましたら下記電話番号までご連絡下さい。０３−○○○○−××××（お客様ご相談窓口）」と表示されている。この表示により、個人情報保護との関係においてカメラ７の用途に疑問を有するエレベータ利用者に対して、エレベータ管理者が責任を持って応対することが明示されている。
【００３１】
このため、エレベータ乗りかご１内にカメラ７を設置したことによりエレベータ利用者に対する犯罪を抑制することができることはもちろん、カメラ７が設置されていることに対するエレベータ利用者の不信感や不満を可能な限りなくすことができる。したがって、エレベータ利用者にエレベータを快適に利用してもらうことができる。
【００３２】
なお、本実施の形態では、カメラ７により撮影する領域としてエレベータ乗りかご１内を例に挙げて説明したが、エレベータ乗り場３を撮影する場合にも同様の効果が期待できる。また、カメラ７はエレベータ乗りかご１内だけではなく、エレベータ乗り場３にも設置できる。
【００３３】
（第２の実施の形態）
本発明の第２の実施の形態を図４に基づいて説明する。なお、第１の実施の形態において説明した構成要素と同じ構成要素には同じ符号を付け、重複する説明は省略する。
【００３４】
本発明の第２の実施の形態に係るエレベータは、エレベータ乗りかご１内にカメラ７が設けられている。このカメラ７は、第１の実施の形態と同様にエレベータ乗りかご１内を撮影する。カメラ７により撮影された映像は、図示しない記録装置に記録される。
【００３５】
この第２の実施の形態では、第１の実施の形態で説明した表示パネル６ａ，６ｂに代えて、表示媒体９ａ，９ｂが設けられている。一方の表示媒体９ａはエレベータ乗りかご１内に設けられ、他方の表示媒体９ｂは各階床のエレベータ乗り場３に設けられている。表示媒体９ａ，９ｂには、カメラ７により撮影された映像（情報）の取扱いに関するエレベータ管理者の制約内容が表示されている。例えば、第１の実施の形態において示した図３(ａ)、(ｂ)、(ｃ)に示した表示内容と同様の内容が表示されている。
【００３６】
表示媒体９ａ，９ｂは、金属プレートや樹脂製プレート、紙製のステッカー等を用いることができる。ステッカーの場合には、表示面の表面を透明な保護膜により被覆し、表示内容が消えないようにすることが好ましい。
【００３７】
表示媒体９ａ，９ｂを取付ける場合には、表示媒体９ａ，９ｂが金属プレートや樹脂プレートの場合には壁面にボルト締めすることが好ましい。表示媒体９ａ，９ｂがステッカーである場合には、表示面の裏面に形成された粘着面を用いて壁面に貼り付けることが好ましい。
【００３８】
このような構成において、この第２の実施の形態によれば、カメラ７を設置したことによりエレベータ利用者に対する犯罪を抑制することができることはもちろん、表示媒体９ａ，９ｂにカメラ７により撮影される映像の取扱いに関するエレベータ管理者の制約内容を表示することにより、カメラ７が設置されていることに対するエレベータ利用者の不信感や不満を可能な限りなくすことができる。そして、エレベータ利用者にエレベータを快適に利用してもらうことができる。
【００３９】
なお、本発明は上記の実施の形態に限定されるものではなく、種々変形して実施できることはいうまでもない。例えば、表示パネル６ａ，６ｂは液晶ディスプレイやＬＣＤディスプレイに限定されず、プラズマディスプレイ等のその他の方式のディスプレイを使用することができる。また、表示媒体９ａ，９ｂの大きさや形、材質について任意に決定することができる。さらに、表示パネル６ａ，６ｂや表示媒体９ａ，９ｂの取付位置、表示パネル６ａ，６ｂや表示媒体９ａ，９ｂに表示する制約内容やその表現方法については、本発明の主旨の範囲内で任意に決定することができる。
【図面の簡単な説明】
【００４０】
【図１】本発明の第１の実施の形態に係るエレベータシステムにおける、エレベータ乗りかごとエレベータ乗り場とを示す透視図である。
【図２】エレベータシステムの構成を示すブロック図である。
【図３】カメラにより撮影される映像の取扱いに関するエレベータ管理者の制約内容の表示例である。
【図４】本発明の第２の実施の形態に係るエレベータ乗りかごとエレベータ乗り場とを示す透視図である。
【符号の説明】
【００４１】
１      エレベータ乗りかご、エレベータ施設
３      エレベータ乗り場、エレベータ施設
６ａ，６ｂ  表示部、表示装置
７      カメラ
９ａ，９ｂ  表示媒体
【図１】
2007197137.tif 000003
【図２】
2007197137.tif 000004
【図３】
2007197137.tif 000005
【図４】
2007197137.tif 000006